(57)【要約】【課題】従来の濡れマスクの欠点を解決しながらその消炎機能を発揮すると共に、塩漬け等で保湿された芳香の桜等の木の葉から得られるいやし機能を付加して、積極的にマスクを着用したくなるマスクの保湿媒体を提供する。【解決手段】本考案のマスク用の保湿媒体は、直接に鼻、口に当てがう当てシート２を重ね合せ、その間に塩漬け醸成された芳香の桜の葉３を挿入し、当てシート２の外縁をミシンで縫着すると共に、葉３も動かないように縫着して、一体に固着形成される。【選択図】　図１
0003096813.tif 000002
【実用新案登録請求の範囲】
【請求項１】
シートマスクの裏側に挟み込んで、直接に鼻、口に当てがう当てシートの間には、香料を溶かした水に漬けて保湿された、天然の芳香の木の葉が挿入され、一体に固着して形成されたことを特徴とするウェット状態で芳香の木の葉を一体挿着した当てシート体。
【請求項２】
木の葉に多数の通気用小孔があけられていることを特徴とした請求項１に記載のウェット状態で芳香の木の葉を一体挿着した当てシート体。
【請求項３】
ウェット状態で芳香の木の葉が、塩漬け醸成された芳香の桜の葉であることを特徴とした請求項１又は２に記載のウェット状態で芳香の木の葉を一体挿着した当てシート体。
【請求項４】
常時は複数枚の前記ウェット状態の当てシート体を保湿可能なアルミ製小袋に収納し、着用時は一枚づつ取出してシートマスクに挟み込むごとくしてなる、使い捨て方式を特徴とするウェット状態で芳香の木の葉を一体挿着した当てシート体。
【考案の詳細な説明】
【０００１】
【考案の属する技術分野】本考案はシートマスクに挟み込んで着用する当てシートに係る保湿媒体手段の技術分野に属する。
【０００２】
【従来の技術】ガーゼや不織布等から作られたシートマスクは鼻、口を覆って、空気中の塵埃や病菌の侵入を防ぐための簡易な手段として広く使われている。また前記のフィルター効果の他に、特にガーゼマスクでは、水で濡らして濡れマスクとして着用すれば、鼻腔、口腔、咽頭、喉頭などの上気道に水分が送り込まれ、それら上気道の粘膜を湿潤に保って乾燥から守り、上気道の消炎や風邪の予防に対して効果のあることが、医者や体験者によって衆知化されている。
【０００３】
【考案が解決しようとする課題】しかし前述の濡れマスクが上気道の消炎や風邪の予防に有効であることは理解できても、単にマスク全体を水で濡らして着用するとマスクに当接する顔面まで濡らしてしまい、寝床では着用できても屋外での着用には不適当である。またマスクの裏に挟み込む当てガーゼを濡らす方法があるが、ガーゼを厚く重ねて含水させないと効果が出てこないので大げさになる欠点がある。また濡らして絞る手加減も難しく、水を濡らし過ぎると水滴が垂れ落ちる欠点がある。またマスクを水で濡らす方法は面倒なだけで味気もなく、消炎の場合は別として、風邪の予防のような将来の期待効果では濡れマスクを継続して着用しようという意欲がわかない欠点がある。本考案はこれら従来の濡れマスクの欠点の解決を目的とするのみならず、従来にない機能の付加により、常時、積極的にマスクを着用したくなる新規な保湿媒体手段の提供をも目的とする。
【０００４】
【課題を解決するための手段】前記課題の解決に当たり、長期間塩漬け醸成された桜の葉が保湿媒体として好適であることに着目し、シートマスクの裏側に挟み込んで、直接に鼻、口に当てがう当てシートの間に、その長期間の塩漬け醸成により保湿された芳香の桜の葉を挿入し、その葉が動いたり、折れ曲がったり、飛散したりしないように、外からミシンで縫着して一体に固着形成して、ウェット状態で芳香の桜の葉を一体挿着した当てシート体からなる新規な保湿媒体を本考案の課題解決手段として提供するものである。すなわち本考案のウェット状態の当てシート体はシートマスクに挟み込んで着用すれば、保湿媒体として従来の濡れマスクと同様の上気道の消炎や風邪の予防の効果を発揮すると同時に、その当てシート体に一体挿着された桜の葉から発する芳香は、着用者の神経系の働きを和らげ、緊張感やいらいらから解放し、また爽快感を感知させる癒し効果をも発揮する。かくして本考案は爽快感を得る癒し機能を付加して、積極的にマスクを着用したくなる従来にない保湿媒体手段を提供するものである。また桜の葉に代えて豊富な落葉樹の葉を用い、天然又は合成の香料を溶かした水に十分に漬けて保湿された各種の芳香の木の葉を工業生産し、着用者の好みに合った香りを嗜好的に選択できる保湿媒体手段をも提供するものである。また本考案の当てシート体は簡便かつ衛生的な使い捨て方式に形成され、従来のマスクや当てガーゼを水に濡らして着用する面倒さを解決するものである。
【０００５】
【考案の実施の形態】以下に、本考案のシートマスク用の当てシート体からなる新規の保湿媒体の実施の形態について、添付図面を参照して説明を行う。
図１は本考案のウェット状態で芳香の桜の葉（芳香の木の葉の場合も同じ）を一体挿着した当てシート体１の説明用平面図であって、シートマスクの裏側に挟み込まれ、直接に鼻、口に当てがって顔面に着用される。
【０００６】
２はガーゼや不織布等から作られた当てシートであって、２枚重ね合って、外縁をミシンで一体に縫着されている。６はとじ用のミシンの縫い目を示すが、長方形の袋状の当てシート体１を形成している。なお本図はミシンによる縫着を例示したが、接着剤による接着等の慣用の一体接合手段は本考案の実施態様に含まれるものである。
【０００７】
袋状の当てシート２の間には、長期間塩漬け醸成されたウェット状態で芳香の桜の葉３が挿入されていて（外郭線４で図示）、動かないように当てシート２と一体に外から碁盤じま状にミシンで逢着されている。なおこの一体固着手段も接合接着の慣用手段を含むものである。
【０００８】
長期間の塩漬け醸成により保湿された芳香の桜の葉は、芳香性、保湿性、安全性、嗜好性、抗菌性、天然性、量産性（塩漬けの工業化）等の優れた特性を有している。本考案はこれらの健康に有効な特性を活用したシートマスク用の保湿媒体を提供するものである。
【０００９】
従って本考案の当てシート体１は、その優れた保湿性だけで従来の濡れマスク同様の効果を発揮し、さらにその芳香性が爽快感を感知させて精神面の癒し効果を享受でき、またその抗菌性で口内の洗浄、口臭の消去が期待できるなどの新しい効果を提供できたのである。
【００１０】
また桜の葉３には多数の通気用小孔８があけられていて通気性を確保している。本考案は桜の葉の前記の諸特性を活用するものであるが、その不通気性だけが呼吸機能と関連するので、比較的大きな桜の葉の場合には問題である。本考案は通気用小孔８をあけることで解決して、新しい保湿媒体を提供できたのである。
【００１１】
また本考案は桜の葉に代えて豊富な木の葉を用い、天然ミント等の天然又は合成の香料を用いて桜の葉と同様の保湿された芳香の木の葉を工業生産し、着用者に各種の芳香の保湿媒体を提供するものである。
【００１２】
また図２は本考案の当てシート体収納用アルミ製小袋７の説明用断面図であって、６枚のウェット状態の当てシート体１が保湿可能に収納され、使い捨て可能となっている。
【００１３】
【考案の効果】本考案のウェット状態で芳香の木の葉を一体挿着した当てシート体は以上の構成であるので、以下の種々の効果を発揮できる。
（１）従来の濡れマスクと同様に上気道の消炎や風邪の予防に効果がある。
（２）一体挿着した桜の葉等の芳香が爽快感を感知させて、従来のマスクにない癒し効果を享受でき、長期間マスクを使用したくなる効果がある。
【００１４】
（３）本考案の当てシート体の保湿媒体は単なる水ではなく、長期の塩漬け醸成による抗菌成分を含んでいて、口内の清浄、口臭の消去の効果を期待できる。
（４）使い捨て方式であるので簡便で、衛生的で、どこでも使える効果がある。
（５）当てシート体に挿着された桜の葉等には通気孔をあけているので、通気性が確保されて息苦しくなく、長期間安定して着用可能である。
【図面の簡単な説明】
【図１】本考案の木の葉（又は桜の葉）を一体挿着した当てシート体の説明用平面図。
【図２】当てシート体を収納したアルミ製小袋の説明用断面図。
【符号の説明】
１　　木の葉（又は桜の葉）を一体挿着した当てシート体
２　　当てシート
３　　木の葉（又は桜の葉）
４　　内部に挿着された木の葉（又は桜の葉）の外郭線（想像線で示す）
５　　一体固着用の碁盤じまのミシン縫い目
６　　当てシートの外縁とじ用のミシン縫い目
７　　アルミ製小袋
８　　木の葉（又は桜の葉）にあけられた通気用小孔
【図１】
0003096813.tif 000003
【図２】
0003096813.tif 000004
【手続補正書】
【提出日】平成15年5月2日(2003.5.2)
【手続補正１】
【補正対象書類名】明細書
【補正対象項目名】実用新案登録請求の範囲
【補正方法】変更
【補正の内容】
【実用新案登録請求の範囲】
【請求項１】
シートマスクの裏側に挟み込んで、直接に鼻、口に当てがう当てシートの間に、長期間の塩漬け醸成により保湿された、芳香の桜の葉が挿入され、かつ一体に固着されて形成されたことを特徴とするウェット状態で芳香の桜の葉を一体挿着した当てシート体。
【請求項２】
桜の葉に多数の通気用小孔があけられていることを特徴とした請求項１に記載のウェット状態で芳香の桜の葉を一体挿着した当てシート体。
【請求項３】
ウェット状態で芳香の桜の葉に代えて、香料を溶かした水に漬けて保湿された、天然の芳香の木の葉が一体挿着されてあることを特徴とした請求項１又は２に記載のウェット状態で芳香の桜の葉を一体挿着した当てシート体。
【請求項４】
常時は複数枚の前記ウェット状態の当てシート体を保湿可能なアルミ製小袋に収納し、着用時は一枚づつ取出してシートマスクに挟み込むごとくしてなる、使い捨て方式を特徴とするウェット状態で芳香の桜の葉を一体挿着した当てシート体。
【手続補正２】
【補正対象書類名】明細書
【補正対象項目名】００１３
【補正方法】変更
【補正の内容】
【００１３】
【考案の効果】本考案のウェット状態で芳香の桜の葉を一体挿着した当てシート体は以上の構成であるので、以下の種々の効果を発揮できる。
（１）　従来の濡れマスクと同様に上気道の消炎や風邪の予防に効果がある。
（２）　一体挿着した桜の葉等の芳香が爽快感を感知させて、従来のマスクにない癒し効果を享受でき、長期間マスクを使用したくなる効果がある。